(57)【要約】【課題】メガネをバランス良く安定して保持するために、テンプル６及び／又はモダン７に固定具を設けることを課題としている。【解決手段】メガネのテンプル６又はモダン７に複数の孔列又は溝列１又は３を設け、この孔列の全ての孔又は溝列の全ての溝２又は４に、任意の位置に嵌め込む細長い平板４を僅かに湾曲させて設けるか、テンプル６又はモダン７に内側斜め前方に湾曲した弾力性を有する細長い分枝６を設けるか、モダン７の周縁に頭の形状に沿って、腕木７又は湾曲板１０又は湾曲網を延設するか、モダン７の中間部に設けた伸縮部１１において、上下伸縮自在にして高さ調整可能にすることによって、パッド無しメガネを固定する構成である。【選択図】    図２
2011099939.tif 000002
【特許請求の範囲】
【請求項１】
パッド無しメガネであって、メガネのテンプル（６、６）の内側２個所又はテンプル（６）に１個所モダン（７）に１個所或るいはモダン（７、７）の２個所に複数の孔列又は溝列（１又は３）を設け、この孔列又は溝列（１又は３）のレンズに近い方の孔列の全ての孔又は溝列の全ての溝（２）は後方斜め側方に向き、レンズに遠い方の孔列の全ての孔又は溝列の全ての溝（４）は前方斜め側方に向いていて、この孔又は溝（２）と孔又は溝（４）は同じ傾斜角度に成されており、この孔又は溝（２）の任意の個所とこの孔又は溝（４）の任意の個所に、弾力性を有する細長い平板（５）を嵌め込んで、内側に僅かに湾曲した湾曲部を形成し、この湾曲部がメガネを掛けた時、頭の側面に当接するように設けられていることを特徴とするメガネ固定具。
【請求項２】
パッド無しメガネであって、メガネのテンプル（６、６）の両内側及び／又はモダン（７、７）の上端の水平部の両内側に、内側斜め前方に湾曲した弾力性を有する細長い分枝（８）を設け、この細長い分枝（８）が頭の側面に当接するように設けられていることを特徴とするメガネ固定具。
【請求項３】
上記分枝（８、８）がテンプル（６、６）及び／又はモダン（７、７）の上端の水平部の両内側に、着脱自在に設けられていることを特徴とする請求項２記載のメガネ固定具。
【請求項４】
パッド無しメガネであって、モダン（７、７）の周縁に頭の形状に沿って、一本又は複数本の腕木（９）が延設されていて、この腕木（９）がメガネを掛けた時、頭の側面に当接するように設けられていることを特徴とするメガネ固定具。
【請求項５】
パッド無しメガネであって、モダン（７、７）の周縁にクリップ状体（１８）が設けられていて、メガネを掛けた時、このクリップ状体（１８）で髪の毛を挟むことによって、頭の側面に固定するように成されていることを特徴とするメガネ固定具。
【請求項６】
パッド無しメガネであって、モダン（７、７）の周縁に頭の形状に沿う形の櫛状体（１０）が設けられていて、この櫛状体（１０）の各々の櫛歯がメガネを掛けた時、頭の側面に当接するように成されていることを特徴とするメガネ固定具。
【請求項７】
パッド無しメガネであって、モダン（７、７）の周縁に頭の形状に沿う形の湾曲板（１１）又は湾曲網（１６）が設けられていて、この湾曲板（１１）又は湾曲網（１６）がメガネを掛けた時、頭の側面に当接するように成されていることを特徴とするメガネ固定具。
【請求項８】
上記モダン（７、７）の周縁に１個所又は複数個所の回動部（１２）を設け、この回動部（１２）に上記一本又は複数本の腕木（９）又は上記クリップ状体（１８）又は上記櫛状体（１０）又は湾曲板（１１）又は湾曲網（１６）が、回動自在に設けられていることを特徴とする請求項４〜７の何れかに記載のメガネ固定具。
【請求項９】
上記モダン（７、７）の中間部に設けた伸縮部（１３）において、耳に嵌め込む最後尾部（１４）が、上下伸縮自在にして高さ調整可能と成されていることを特徴とする請求項１〜８の何れかに記載のメガネ固定具。
【請求項１０】
上記耳に嵌め込む左右の最後尾部（１４、１４）が、最後尾部（１４）の途中の一個所に設けた回動部（１５）を介して連結されていることを特徴とする請求項１〜９の何れかに記載のメガネ固定具。
【発明の詳細な説明】
【技術分野】
【０００１】
本発明は、パッド無しメガネの固定具に関する。
【背景技術】
【０００２】
出願人は先に、パッド無しメガネを提案し特許第４３７１３３１号を取得しています。このパッド無しメガネは、メガネのパッドを省略することによってメガネのファッション性が向上し、メガネを掛けた時は、本発明のＧ型モダン１の一部分が耳朶３近傍に見えるだけであり、髪の毛の多い人の場合は見えない。長期間メガネを掛けても、鼻の横に形が付いたり、皮膚の色が変色したりすることが無く、鼻に重さを感じる事が無く、実装感の良いメガネである。
【先行技術文献】
【特許文献】
【０００３】
【特許文献１】特許第４３７１３３１号
【０００４】
特許文献１は、メガネのパッドを省略し、モダンが耳殻の外側の形状に沿わせて延長され、その終端部は耳朶を避けるように前方に湾曲されており、このモダンの終端部の最後尾には、耳穴に固定するための保持体が設けられている構成である。
【発明の概要】
【発明が解決しようとする課題】
【０００５】
パッド無しメガネは、モダンの終端部の最後尾に設けた保持体によってメガネを固定している構造であり、耳殻と保持体でメガネを支えているのが問題点となる。本発明は、メガネをバランス良く安定して保持するために、テンプル６及び／又はモダン７に固定具を設けることを課題としている。
【課題を解決するための手段】
【０００６】
メガネのテンプル６又はモダン７に複数の孔列又は溝列１又は３を設け、この孔列の全ての孔又は溝列の全ての溝２又は４に、任意の位置に嵌め込む細長い平板４を僅かに湾曲させて設けるか、テンプル６又はモダン７に内側斜め前方に湾曲した弾力性を有する細長い分枝６を設けるか、モダン７の周縁に頭の形状に沿って、腕木７又は湾曲板１０又は湾曲網１６を延設するか、モダン７の中間部に設けた伸縮部１１において、上下伸縮自在にして高さ調整可能にすることによって、パッド無しメガネを固定する構成である。
【発明の効果】
【０００７】
本発明の効果として、メガネのテンプル６又はモダン７の内側に複数の孔又は溝１又は３を設け、この孔又は溝２又は４の任意の位置に、細長い平板４の湾曲する角度を調整して嵌め込むことによって、平板４を頭の側面に当接することができる。テンプル６又はモダン７に内側斜め前方に湾曲した弾力性を有する細長い分枝６を設けることによって、頭の側面に適度に当接することができる。モダン７の周縁に頭の形状に沿って、腕木７又は湾曲板１０を延設することによって、頭の側面に当接する面積を大きくして固定することができる。モダン７の中間部に設けた伸縮部１１において、モダン７の最後尾部１３を上下伸縮自在に設けることによって、長さ、大きさの異なる耳に対応することができる。耳に嵌め込む最後尾部１３の中間部に回動部１２を設けることによって、掛けるメガネの上下の角度を調整して固定することができる。
【図面の簡単な説明】
【０００８】
【図１】本発明１の実施の形態の一例を示す斜視図である。
【図２】本発明１の実施の形態の一例を示す斜視図、部分拡大図である。
【図３】本発明２の実施の形態の一例を示す斜視図、部分拡大図である。
【図４】本発明３の実施の形態の一例を示す斜視図、部分拡大図である。
【図５】本発明４の実施の形態の一例を示す斜視図である。
【図６】本発明５の実施の形態の一例を示す斜視図、側面図である。
【図７】本発明６の実施の形態の一例を示す側面図である。
【図８】本発明７の実施の形態の一例を示す側面図である。
【図９】本発明８の実施の形態の一例を示す側面図である。
【図１０】本発明９の実施の形態の一例を示す側面図である。
【図１１】本発明１０の実施の形態の一例を示す側面図である。
【発明を実施するための形態】
【０００９】
メガネのテンプル６又はモダン７の周縁に、頭の側面の形状に沿って細長い平板４、細長い分枝６、腕木７又は湾曲板１０を設けて頭の側面に当接させて固定し、モダン７を上下伸縮自在にして高さ調整可能にすることによって、パッド無しメガネを固定する構成である。
【実施例１】
【００１０】
そこで、本発明の請求項１記載のメガネ固定具（以下、本発明１と言う）は、パッド無しメガネであって、メガネのテンプル６、６の内側２個所又はテンプル６に１個所モダン７に１個所或るいはモダン７、７の２個所に複数の孔列又は溝列１又は３を設け、この孔列又は溝列１又は３のレンズに近い方の孔列の全ての孔又は溝列の全ての溝２は後方斜め側方に向き、レンズに遠い方の孔列の全ての孔又は溝列の全ての溝４は前方斜め側方に向いていて、この孔又は溝２と孔又は溝４は同じ傾斜角度に成されており、この孔又は溝２の任意の個所とこの孔又は溝４の任意の個所に、弾力性を有する細長い平板５を嵌め込んで、内側に僅かに湾曲した湾曲部を形成し、この湾曲部がメガネを掛けた時、頭の側面に当接するように設けられていることを特徴としている。
【００１１】
実施の形態の一例として、第１ａ図はパッド無しメガネの斜視図である。二個のレンズがパッドを省略して形成されているレンズ部と、このレンズ部の両脇のヨロイとを介して、延長されているテンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていることを示している。
【００１２】
実施の形態の一例として、第１ｂ図は別のパッド無しメガネの斜視図である。左右２本のテンプル６、６の先に設けたヨロイに、二個のレンズのブリッジを省略して取り付け、このテンプル６の後にモダン７が耳殻の外側の形状に沿わせて延長させ、その終端部は耳朶を避けるように前方に湾曲させ、このモダン７の終端部の最後尾には、耳穴に固定するための保持体１７が設けられ、この左右のモダン７、７が支持体１８によって結合されていることを示している。
【００１３】
実施の形態の一例として、第１ｃ図は別のパッド無しメガネの斜視図である。二個の拡大鏡がパッドを省略して形成されている拡大鏡部１９と、この拡大鏡部１９の両脇のヨロイを介して、延長されているテンプル６の後にモダン７が結合され、このモダン７の終端部の最後尾には、耳穴に固定するための保持体１７が設けられていることを示している。以上に示したパッド無しメガネに、本発明の固定具を取り付ける。
【００１４】
実施の形態の一例として、第２ａ図は本発明１の固定具の平板５をパッド無しメガネに取り付けた斜視図であり、第２ｂ図は孔２と平板５の先端の拡大図であり、第２ｃ図は平板５の先端を孔２に嵌め込んだ状態を示す拡大図である。メガネのテンプル６の１個所に複数の孔列１とモダン７に複数の孔列３を設け、このレンズに近い方の孔列の全ての孔２は後方斜め側方に向き、レンズに遠い方の孔列の全ての孔４は前方斜め側方に向いていて、この孔２と孔４は同じ傾斜角度に成されており、この孔２の任意の個所とこの孔４の任意の個所に、弾力性を有する細長い平板５を嵌め込んで、内側に僅かに湾曲した湾曲部を形成し、この湾曲部がメガネを掛けた時、頭の側面に当接するように設けられていることを示している。
【００１５】
この平板５の湾曲を調整する方法は、この平板５の一方端を、レンズに近い方の孔列１のレンズよりの孔２に嵌め込み、平板５の他端をレンズに遠い方の孔列３のモダン７側の孔４に嵌め込んだ場合、平板５は最も浅い湾曲となり、平板５の一方端を孔列１のモダン側の孔２に嵌め込み、平板５の他端を孔列３のテンプル６側の孔４に嵌め込んだ場合、平板５は最も深い湾曲となる。この湾曲を調整することによって、平板５を頭の側面に当接しメガネを固定することができる。様々な人の顔の中心にメガネのブリッジが位置するためには、左右の湾曲を自由に調整すれば良い。
【００１６】
この平板５は、頭の側面の髪の毛が生えている部分に当接するように設ける。顔の皮膚に当接する位置には取り付けない。複数の孔列又は溝列１又は３を、メガネのテンプル６、６の内側２個所又はモダン７、７の２個所に設けた場合も、同様の作用効果がある。平板５の材質は、テンプル６又はモダン７と同一であり、プラスチック、ゴム、カーボン、金属など弾力性のある素材であれば良い。
【実施例２】
【００１７】
本発明の請求項２記載のメガネ固定具（以下、本発明２と言う）は、パッド無しメガネであって、メガネのテンプル６、６の両内側及び／又はモダン７、７の上端の水平部の両内側に、内側斜め前方に湾曲した弾力性を有する細長い分枝８を設け、この細長い分枝８が頭の側面に当接するように設けられていることを特徴としている。
【００１８】
実施の形態の一例として、第３ａ図は発明２の固定具の細長い分枝８をパッド無しメガネに取り付けた斜視図であり、第３ｂ図、第３ｃ図は分枝８の拡大図である。メガネのモダン７、７の上端の水平部の両内側に、内側斜め前方に湾曲した弾力性を有する細長い分枝８を設けたことを示している。この細長い分枝８が頭の側面に当接することによって、メガネを固定することができる。
【００１９】
本発明２の分枝８の材質は、テンプル６又はモダン７と同一であり、プラスチック、ゴム、カーボン、金属など弾力性のある素材であれば良い。
【実施例３】
【００２０】
本発明の請求項３記載のメガネ固定具（以下、本発明３と言う）は、上記分枝８、８がテンプル６、６及び／又はモダン７、７の上端の水平部の両内側に、着脱自在に設けられていることを特徴としている。
【００２１】
実施の形態の一例として、第４ａ図は発明３の固定具の細長い分枝８をパッド無しメガネに取り付けた斜視図であり、第４ｂ図、第４ｃ図は分枝８の拡大図である。メガネのモダン７、７の上端の水平部の両内側に、内側斜め前方に湾曲した弾力性を有する細長い分枝８を着脱自在に設けたことを示している。この細長い分枝８を頭の側面に当接する任意の位置に移動させて取り付けることによって、様々な人の頭の側面にメガネを固定することができる。
【００２２】
本発明３の分枝８の材質は、テンプル６又はモダン７と同一であり、プラスチック、ゴム、カーボン、金属など弾力性のある素材であれば良い。
【実施例４】
【００２３】
本発明の請求項４記載のメガネ固定具（以下、本発明４と言う）は、パッド無しメガネであって、モダン７、７の周縁に頭の形状に沿って、一本又は複数本の腕木９が延設されていて、この腕木９がメガネを掛けた時、頭の側面に当接するように設けられていることを特徴としている。
【００２４】
実施の形態の一例として、第５ａ図は本発明４の固定具の一本の腕木９をモダン７に取り付けた斜視図である。モダン７の後方上方の湾曲部に頭の形状に沿って、一本の腕木９を上方後方に斜め方向に延設したことを示している。斜め上方後方に延設した腕木９は頭の後方に当接し、保持体１７と共にバランス良くメガネを固定することができる。
【００２５】
実施の形態の一例として、第５ｂ図は本発明４の固定具の腕木９を３本モダン７に取り付けた斜視図である。モダン７の後方上方の湾曲部に一本、モダンの中間部に一本、テンプル６側に下方に向けて一本を垂下していることを示している。耳の周縁に三本の腕木９を頭の形状に沿って延設することによって、保持体１７を中心にしてバランス良くメガネを固定することができる。
【００２６】
本発明４の腕木９の材質は、モダン７と同一であり、プラスチック、ゴム、カーボン、金属など弾力性のある素材であれば良い。
【実施例５】
【００２７】
本発明の請求項５記載のメガネ固定具（以下、本発明５と言う）は、パッド無しメガネであって、モダン７、７の周縁にクリップ状体１８が設けられていて、メガネを掛けた時、このクリップ状体１８で髪の毛を挟むことによって、頭の側面に固定するように成されていることを特徴としている。
【００２８】
本発明５のクリップ状体とは、髪の毛を挟むためにバネを設け、このバネの付勢によって髪の毛を挟むことができる形状のクリップと二つに折り曲げられた弾性体で挟むことができる形状のクリップである。挟む部分の形状は、髪の毛を挟むことができれば良く限定しない。
【００２９】
実施の形態の一例として、第６ａ図は本発明５の固定具のクリップ状体１８をモダン７の２個所に取り付けた斜視図であり、第６ｂ図は第６ａ図のクリップ状体１８の説明図である。モダン７、７の周縁に頭の形状に沿った形状のクリップ状体１８が２個設けられていて、メガネを掛けた時、このクリップ状体１８で髪の毛を挟むことによって、頭の側面に固定できることを示している。頭の側面にある髪の毛の根本を挟むことができる。クリップ状体１８を簡単に着脱することができる。
【００３０】
第６ｃ図は本発明５の固定具の櫛状のクリップ状体１８をモダン７に取り付けた斜視図であり、第６ｄ図は第６ｃ図のクリップ状体１８を取り付けたモダン７を耳に掛け、櫛状のクリップ状体１８で髪の毛に止めた状態を示している。髪の毛をすいて髪の毛の根本に頭の形状に沿って止めることができる。櫛状のクリップ状体１８は髪の毛で隠すことができる。
【００３１】
本発明５のクリップ状体１８の材質は、プラスチック、ゴム、カーボン、ステンレス、鉄などの金属である。
【実施例６】
【００３２】
本発明の請求項６記載のメガネ固定具（以下、本発明６と言う）は、パッド無しメガネであって、モダン７、７の周縁に頭の形状に沿う形の櫛状体１０が設けられていて、この櫛状体１０の各々の櫛歯がメガネを掛けた時、頭の側面に当接するように成されていることを特徴としている。
【００３３】
実施の形態の一例として、第７ａ図は本発明６の固定具の櫛状体１０をモダン７に取り付けた斜視図であり、第７ｂ図は第７ａ図の櫛状体１０を取り付けたモダン７を耳に掛けた状態を示す側面図である。メガネを掛ける時、櫛状体１０の先端は髪の毛の隙間を頭の形状に沿って根本に入っていくので、頭の後方でメガネを固定することができる。第７ｃ図は櫛状体１０をモダン７の上部の水平部の上下に取り付けた状態を示している。頭の側面と後方の両方から固定することができる。
【実施例７】
【００３４】
本発明の請求項７記載のメガネ固定具（以下、本発明７と言う）は、パッド無しメガネであって、モダン７、７の周縁に頭の形状に沿う形の湾曲板１１又は湾曲網１６が設けられていて、この湾曲板１１又は湾曲網１６がメガネを掛けた時、頭の側面に当接するように成されていることを特徴としている。
【００３５】
実施の形態の一例として、第８ａ図は本発明７の固定具の湾曲板１１をモダン７の湾曲部に取り付けた斜視図であり、第８ｂ図は湾曲板１１をモダン７の上部の水平部まで延設した状態を示している。メガネを掛けた時、耳の周縁を湾曲板１１の面で固定することができる。湾曲板１１に穴を設けても良い。
【００３６】
実施の形態の一例として、第８ｃ図は本発明７の固定具の湾曲網１６をモダン７に取り付けた斜視図であり、第８ｂ図は湾曲網１６をモダン７の上部の水平部まで延設した状態を示している。メガネを掛けた時、耳の周縁を湾曲網１６の面で固定することができる。
【実施例８】
【００３７】
本発明の請求項８記載のメガネ固定具（以下、本発明８と言う）は、上記モダン７、７の周縁に１個所又は複数個所の回動部１２を設け、この回動部１２に上記一本又は複数本の腕木９又は上記クリップ状体１８又は上記櫛状体１０又は湾曲板１１又は湾曲網１６が、回動自在に設けられていることを特徴としている。
【００３８】
実施の形態の一例として、第９ａ図は本発明８の回動部１２をモダン７の周縁の２個所に設け、この回動部１２に腕木９を設けた斜視図である。複数の腕木９によってメガネを固定し、回動部１２に設けた腕木９の角度を調整することによって、メガネのレンズの高さを上下させて調整することができる。第９ｂ図は本発明８の回動部１２に櫛状体１０を設けた斜視図である。第９ｃ図は本発明８の回動部１２にクリップ状体１８を設けた斜視図である。第９ｄ図は本発明８の回動部１２に櫛状のクリップ状体１８を設けた斜視図である。其々回動部１２を設けることによって、メガネのレンズの僅かな高さ調整して固定することができる。
【実施例９】
【００３９】
本発明の請求項９記載のメガネ固定具（以下、本発明９と言う）は、上記モダン７、７の中間部に設けた伸縮部１３において、耳に嵌め込む最後尾部１４が、上下伸縮自在にして高さ調整可能と成されていることを特徴としている。
【００４０】
実施の形態の一例として、第１０ａ図は本発明９の伸縮部１３をモダン７の中間部に設けた斜視図であり、第１０ｂ図は伸縮部１３を設けたモダン７を耳に掛けた状態を示している。様々な人の耳の形状に合わせるために上下伸縮自在にすることによって、耳の大きさに合わせて固定することができる。第１０ｃ図は伸縮部１３のモダン７を引き出して長くした状態を示している。第１０ｄ図は大きく長い形状の耳に最後尾部１４の高さを合わせた状態を示している。高さを合わせることによって固定することができる。
【実施例１０】
【００４１】
本発明の請求項１０記載のメガネ固定具（以下、本発明１０と言う）は、上記耳に嵌め込む左右の最後尾部１４、１４が、最後尾部１４の途中の一個所に設けた回動部１５を介して連結されていることを特徴としている。
【００４２】
実施の形態の一例として、第１１ａ図は本発明１０の回動部１５を最後尾部１４の途中に設けた斜視図であり、最後尾部１４に設けた保持体１７で耳穴に固定した状態を示している。第１１ｂ図はメガネを外す時に、保持体１７を設けた最後尾部１４を外側に曲げた状態を示している。第１１ｃ図は回動部１５を最後尾部１４の途中に設けた斜視図であり、最後尾部１４に設けた保持体１７で耳穴に固定した状態を示している。第１１ｄ図はメガネを外す時に、保持体１７を設けた最後尾部１４を外側に曲げた状態を示している。回動部１５は、任意の位置に固定することができるように硬い状態で回動可能にするか、複数を溝を設けて止めるようにする。
【産業上の利用可能性】
【００４３】
以上のように、パッド無しメガネに本発明の固定具の分枝８、腕木９、櫛状体１０、湾曲板１１、湾曲網１６、回動部１２、伸縮部１３をテンプル６及び／又はモダン７に設けることによって、長時間メガネを掛けた場合、鼻に重さを感じる事が無く、実装感が良い。本発明の固定具は、髪の毛に似た色を付けるか、髪の毛の中に隠すことができるので、パッド無しメガネとしてのファッション性が向上する。よって、本発明の固定具はパッド無しメガネの固定具として適している。
【符号の説明】
【００４４】
１    孔列又は溝列
２    孔又は溝
３    孔列又は溝列
４    孔又は溝
５    平板        
６    テンプル
７    モダン
８    分枝
９    腕木
１０    櫛状体
１１    湾曲板
１２    回動部
１３    伸縮部
１４    最後尾部
１５    回動部
１６    湾曲網
１７    保持体
１８    支持体
１９    拡大鏡
【図１】
2011099939.tif 000003
【図２】
2011099939.tif 000004
【図３】
2011099939.tif 000005
【図４】
2011099939.tif 000006
【図５】
2011099939.tif 000007
【図６】
2011099939.tif 000008
【図７】
2011099939.tif 000009
【図８】
2011099939.tif 000010
【図９】
2011099939.tif 000011
【図１０】
2011099939.tif 000012
【図１１】
2011099939.tif 000013
【手続補正書】
【提出日】平成21年12月11日(2009.12.11)
【手続補正１】
【補正対象書類名】明細書
【補正対象項目名】全文
【補正方法】変更
【補正の内容】
【発明の詳細な説明】
【技術分野】
【０００１】
本発明は、パッド無しメガネの固定具に関する。
【背景技術】
【０００２】
出願人は先に、パッド無しメガネを提案し特許第４３７１３３１号を取得しています。このパッド無しメガネは、メガネのパッドを省略することによってメガネのファッション性が向上し、メガネを掛けた時は、本発明のＧ型モダン１の一部分が耳朶３近傍に見えるだけであり、髪の毛の多い人の場合は見えない。長期間メガネを掛けても、鼻の横に形が付いたり、皮膚の色が変色したりすることが無く、鼻に重さを感じる事が無く、実装感の良いメガネである。
【先行技術文献】
【特許文献】
【０００３】
【特許文献１】特許第４３７１３３１号
【０００４】
特許文献１は、メガネのパッドを省略し、モダンが耳殻の外側の形状に沿わせて延長され、その終端部は耳朶を避けるように前方に湾曲されており、このモダンの終端部の最後尾には、耳穴に固定するための保持体が設けられている構成である。
【発明の概要】
【発明が解決しようとする課題】
【０００５】
パッド無しメガネは、モダンの終端部の最後尾に設けた保持体によってメガネを固定している構造であり、耳殻と保持体でメガネを支えているのが問題点となる。本発明は、メガネをバランス良く安定して保持するために、テンプル６及び／又はモダン７に固定具を設けることを課題としている。
【課題を解決するための手段】
【０００６】
メガネのテンプル６又はモダン７に複数の孔列又は溝列１又は３を設け、この孔列の全ての孔又は溝列の全ての溝２又は４に、任意の位置に嵌め込む細長い平板４を僅かに湾曲させて設けるか、テンプル６又はモダン７に内側斜め前方に湾曲した弾力性を有する細長い分枝６を設けるか、モダン７の周縁に頭の形状に沿って、腕木７又は湾曲板１０又は湾曲網１６を延設するか、モダン７の中間部に設けた伸縮部１１において、上下伸縮自在にして高さ調整可能にすることによって、パッド無しメガネを固定する構成である。
【発明の効果】
【０００７】
本発明の効果として、メガネのテンプル６又はモダン７の内側に複数の孔又は溝１又は３を設け、この孔又は溝２又は４の任意の位置に、細長い平板４の湾曲する角度を調整して嵌め込むことによって、平板４を頭の側面に当接することができる。テンプル６又はモダン７に内側斜め前方に湾曲した弾力性を有する細長い分枝６を設けることによって、頭の側面に適度に当接することができる。モダン７の周縁に頭の形状に沿って、腕木７又は湾曲板１０を延設することによって、頭の側面に当接する面積を大きくして固定することができる。モダン７の中間部に設けた伸縮部１１において、モダン７の最後尾部１３を上下伸縮自在に設けることによって、長さ、大きさの異なる耳に対応することができる。耳に嵌め込む最後尾部１３の中間部に回動部１２を設けることによって、掛けるメガネの上下の角度を調整して固定することができる。
【図面の簡単な説明】
【０００８】
【図１】本発明１の実施の形態の一例を示す斜視図である。
【図２】本発明１の実施の形態の一例を示す斜視図、部分拡大図である。
【図３】本発明２の実施の形態の一例を示す斜視図、部分拡大図である。
【図４】本発明３の実施の形態の一例を示す斜視図、部分拡大図である。
【図５】本発明４の実施の形態の一例を示す斜視図である。
【図６】本発明５の実施の形態の一例を示す斜視図、側面図である。
【図７】本発明６の実施の形態の一例を示す側面図である。
【図８】本発明７の実施の形態の一例を示す側面図である。
【図９】本発明８の実施の形態の一例を示す側面図である。
【図１０】本発明９の実施の形態の一例を示す側面図である。
【図１１】本発明１０の実施の形態の一例を示す側面図である。
【発明を実施するための形態】
【０００９】
メガネのテンプル６又はモダン７の周縁に、頭の側面の形状に沿って細長い平板４、細長い分枝６、腕木７又は湾曲板１０を設けて頭の側面に当接させて固定し、モダン７を上下伸縮自在にして高さ調整可能にすることによって、パッド無しメガネを固定する構成である。
【実施例１】
【００１０】
そこで、本発明の請求項１記載のメガネ固定具（以下、本発明１と言う）は、パッド無しメガネであって、テンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていて、メガネの両テンプル６、６の内側の対向する２個所又はテンプル６の１個所に対向するモダン７の１個所或るいは両モダン７、７の対向する２個所に複数の孔列又は溝列１又は３を設け、この孔列又は溝列１又は３のレンズに近い方の孔列の全ての孔又は溝列の全ての溝２は後方斜め側方に向き、レンズに遠い方の孔列の全ての孔又は溝列の全ての溝４は前方斜め側方に向いていて、この孔又は溝２と孔又は溝４は同じ傾斜角度に成されており、この孔又は溝２の任意の個所とこの孔又は溝４の任意の個所に、弾力性を有する細長い平板５を嵌め込んで、内側に僅かに湾曲した湾曲部を形成し、この湾曲部がメガネを掛けた時、頭の側面に当接するように設けられていることを特徴としている。
【００１１】
実施の形態の一例として、第１ａ図はパッド無しメガネの斜視図である。二個のレンズがパッドを省略して形成されているレンズ部と、このレンズ部の両脇のヨロイとを介して、延長されているテンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていることを示している。
【００１２】
実施の形態の一例として、第１ｂ図は別のパッド無しメガネの斜視図である。左右２本のテンプル６、６の先に設けたヨロイに、二個のレンズのブリッジを省略して取り付け、このテンプル６の後にモダン７が耳殻の外側の形状に沿わせて延長させ、その終端部は耳朶を避けるように前方に湾曲させ、このモダン７の終端部の最後尾には、耳穴に固定するための保持体１７が設けられ、この左右のモダン７、７が支持体１８によって結合されていることを示している。
【００１３】
実施の形態の一例として、第１ｃ図は別のパッド無しメガネの斜視図である。二個の拡大鏡がパッドを省略して形成されている拡大鏡部１９と、この拡大鏡部１９の両脇のヨロイを介して、延長されているテンプル６の後にモダン７が結合され、このモダン７の終端部の最後尾には、耳穴に固定するための保持体１７が設けられていることを示している。以上に示したパッド無しメガネに、本発明の固定具を取り付ける。
【００１４】
実施の形態の一例として、第２ａ図は本発明１の固定具の平板５をパッド無しメガネに取り付けた斜視図であり、第２ｂ図は孔２と平板５の先端の拡大図であり、第２ｃ図は平板５の先端を孔２に嵌め込んだ状態を示す拡大図である。メガネのテンプル６の１個所に複数の孔列１とモダン７に複数の孔列３を設け、このレンズに近い方の孔列の全ての孔２は後方斜め側方に向き、レンズに遠い方の孔列の全ての孔４は前方斜め側方に向いていて、この孔２と孔４は同じ傾斜角度に成されており、この孔２の任意の個所とこの孔４の任意の個所に、弾力性を有する細長い平板５を嵌め込んで、内側に僅かに湾曲した湾曲部を形成し、この湾曲部がメガネを掛けた時、頭の側面に当接するように設けられていることを示している。
【００１５】
この平板５の湾曲を調整する方法は、この平板５の一方端を、レンズに近い方の孔列１のレンズよりの孔２に嵌め込み、平板５の他端をレンズに遠い方の孔列３のモダン７側の孔４に嵌め込んだ場合、平板５は最も浅い湾曲となり、平板５の一方端を孔列１のモダン側の孔２に嵌め込み、平板５の他端を孔列３のテンプル６側の孔４に嵌め込んだ場合、平板５は最も深い湾曲となる。この湾曲を調整することによって、平板５を頭の側面に当接しメガネを固定することができる。様々な人の顔の中心にメガネのブリッジが位置するためには、左右の湾曲を自由に調整すれば良い。
【００１６】
この平板５は、頭の側面の髪の毛が生えている部分に当接するように設ける。顔の皮膚に当接する位置には取り付けない。複数の孔列又は溝列１又は３を、メガネのテンプル６、６の内側２個所又はモダン７、７の２個所に設けた場合も、同様の作用効果がある。平板５の材質は、テンプル６又はモダン７と同一であり、プラスチック、ゴム、カーボン、金属など弾力性のある素材であれば良い。
【実施例２】
【００１７】
本発明の請求項２記載のメガネ固定具（以下、本発明２と言う）は、パッド無しメガネであって、テンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていて、メガネのテンプル６、６の両内側及び／又はモダン７、７の上端のテンプル６、６側の両内側に、内側斜め前方に湾曲した弾力性を有する細長い分枝８を設け、この細長い分枝８が頭の側面に当接するように設けられていることを特徴としている。
【００１８】
実施の形態の一例として、第３ａ図は発明２の固定具の細長い分枝８をパッド無しメガネに取り付けた斜視図であり、第３ｂ図、第３ｃ図は分枝８の拡大図である。メガネのモダン７、７の上端のテンプル６、６側の両内側に、内側斜め前方に湾曲した弾力性を有する細長い分枝８を設けたことを示している。この細長い分枝８が頭の側面に当接することによって、メガネを固定することができる。
【００１９】
本発明２の分枝８の材質は、テンプル６又はモダン７と同一であり、プラスチック、ゴム、カーボン、金属など弾力性のある素材であれば良い。
【実施例３】
【００２０】
本発明の請求項３記載のメガネ固定具（以下、本発明３と言う）は、上記分枝８、８がテンプル６、６及び／又はモダン７、７の上端のテンプル６、６側の両内側に、着脱自在に設けられていることを特徴としている。
【００２１】
実施の形態の一例として、第４ａ図は発明３の固定具の細長い分枝８をパッド無しメガネに取り付けた斜視図であり、第４ｂ図、第４ｃ図は分枝８の拡大図である。メガネのモダン７、７の上端のテンプル６、６側の両内側に、内側斜め前方に湾曲した弾力性を有する細長い分枝８を着脱自在に設けたことを示している。この細長い分枝８を頭の側面に当接する任意の位置に移動させて取り付けることによって、様々な人の頭の側面にメガネを固定することができる。
【００２２】
本発明３の分枝８の材質は、テンプル６又はモダン７と同一であり、プラスチック、ゴム、カーボン、金属など弾力性のある素材であれば良い。
【実施例４】
【００２３】
本発明の請求項４記載のメガネ固定具（以下、本発明４と言う）は、パッド無しメガネであって、テンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていて、モダン７、７の周縁に頭の形状に沿って、一本又は複数本の腕木９が延設されていて、この腕木９がメガネを掛けた時、頭の側面に当接するように設けられていることを特徴としている。
【００２４】
実施の形態の一例として、第５ａ図は本発明４の固定具の一本の腕木９をモダン７に取り付けた斜視図である。モダン７の後方上方の湾曲部に頭の形状に沿って、一本の腕木９を上方後方に斜め方向に延設したことを示している。斜め上方後方に延設した腕木９は頭の後方に当接し、保持体１７と共にバランス良くメガネを固定することができる。
【００２５】
実施の形態の一例として、第５ｂ図は本発明４の固定具の腕木９を３本モダン７に取り付けた斜視図である。モダン７の後方上方の湾曲部に一本、モダンの中間部に一本、テンプル６側に下方に向けて一本を垂下していることを示している。耳の周縁に三本の腕木９を頭の形状に沿って延設することによって、保持体１７を中心にしてバランス良くメガネを固定することができる。
【００２６】
本発明４の腕木９の材質は、モダン７と同一であり、プラスチック、ゴム、カーボン、金属など弾力性のある素材であれば良い。
【実施例５】
【００２７】
本発明の請求項５記載のメガネ固定具（以下、本発明５と言う）は、パッド無しメガネであって、テンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていて、モダン７、７の周縁にクリップ状体１８が設けられていて、メガネを掛けた時、このクリップ状体１８で髪の毛を挟むことによって、頭の側面に固定するように成されていることを特徴としている。
【００２８】
本発明５のクリップ状体とは、髪の毛を挟むためにバネを設け、このバネの付勢によって髪の毛を挟むことができる形状のクリップと二つに折り曲げられた弾性体で挟むことができる形状のクリップである。挟む部分の形状は、髪の毛を挟むことができれば良く限定しない。
【００２９】
実施の形態の一例として、第６ａ図は本発明５の固定具のクリップ状体１８をモダン７の２個所に取り付けた斜視図であり、第６ｂ図は第６ａ図のクリップ状体１８の説明図である。モダン７、７の周縁に頭の形状に沿った形状のクリップ状体１８が２個設けられていて、メガネを掛けた時、このクリップ状体１８で髪の毛を挟むことによって、頭の側面に固定できることを示している。頭の側面にある髪の毛の根本を挟むことができる。クリップ状体１８を簡単に着脱することができる。
【００３０】
第６ｃ図は本発明５の固定具の櫛状のクリップ状体１８をモダン７に取り付けた斜視図であり、第６ｄ図は第６ｃ図のクリップ状体１８を取り付けたモダン７を耳に掛け、櫛状のクリップ状体１８で髪の毛に止めた状態を示している。髪の毛をすいて髪の毛の根本に頭の形状に沿って止めることができる。櫛状のクリップ状体１８は髪の毛で隠すことができる。
【００３１】
本発明５のクリップ状体１８の材質は、プラスチック、ゴム、カーボン、ステンレス、鉄などの金属である。
【実施例６】
【００３２】
本発明の請求項６記載のメガネ固定具（以下、本発明６と言う）は、パッド無しメガネであって、テンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていて、モダン７、７の周縁に頭の形状に沿う形の櫛状体１０が設けられていて、この櫛状体１０の各々の櫛歯がメガネを掛けた時、頭の側面に当接するように成されていることを特徴としている。
【００３３】
実施の形態の一例として、第７ａ図は本発明６の固定具の櫛状体１０をモダン７に取り付けた斜視図であり、第７ｂ図は第７ａ図の櫛状体１０を取り付けたモダン７を耳に掛けた状態を示す側面図である。メガネを掛ける時、櫛状体１０の先端は髪の毛の隙間を頭の形状に沿って根本に入っていくので、頭の後方でメガネを固定することができる。第７ｃ図は櫛状体１０をモダン７の上部の水平部の上下に取り付けた状態を示している。頭の側面と後方の両方から固定することができる。
【実施例７】
【００３４】
本発明の請求項７記載のメガネ固定具（以下、本発明７と言う）は、パッド無しメガネであって、テンプル６の後にモダン７を結合させ、このモダン７を耳殻の外側の形状に沿わせて延長させ、その終端部は耳朶を避けるように前方に湾曲させて、このモダン７の終端部の最後尾に、耳穴に固定するための保持体１７が設けられていて、モダン７、７の周縁に頭の形状に沿う形の湾曲板１１又は湾曲網１６が設けられていて、この湾曲板１１又は湾曲網１６がメガネを掛けた時、頭の側面に当接するように成されていることを特徴としている。
【００３５】
実施の形態の一例として、第８ａ図は本発明７の固定具の湾曲板１１をモダン７の湾曲部に取り付けた斜視図であり、第８ｂ図は湾曲板１１をモダン７の上部の水平部まで延設した状態を示している。メガネを掛けた時、耳の周縁を湾曲板１１の面で固定することができる。湾曲板１１に穴を設けても良い。
【００３６】
実施の形態の一例として、第８ｃ図は本発明７の固定具の湾曲網１６をモダン７に取り付けた斜視図であり、第８ｂ図は湾曲網１６をモダン７の上部の水平部まで延設した状態を示している。メガネを掛けた時、耳の周縁を湾曲網１６の面で固定することができる。
【実施例８】
【００３７】
本発明の請求項８記載のメガネ固定具（以下、本発明８と言う）は、上記モダン７、７の周縁に１個所又は複数個所の回動部１２を設け、この回動部１２に上記一本又は複数本の腕木９又は上記クリップ状体１８又は上記櫛状体１０又は湾曲板１１又は湾曲網１６が、回動自在に設けられていることを特徴としている。
【００３８】
実施の形態の一例として、第９ａ図は本発明８の回動部１２をモダン７の周縁の２個所に設け、この回動部１２に腕木９を設けた斜視図である。複数の腕木９によってメガネを固定し、回動部１２に設けた腕木９の角度を調整することによって、メガネのレンズの高さを上下させて調整することができる。第９ｂ図は本発明８の回動部１２に櫛状体１０を設けた斜視図である。第９ｃ図は本発明８の回動部１２にクリップ状体１８を設けた斜視図である。第９ｄ図は本発明８の回動部１２に櫛状のクリップ状体１８を設けた斜視図である。其々回動部１２を設けることによって、メガネのレンズの僅かな高さ調整して固定することができる。
【実施例９】
【００３９】
本発明の請求項９記載のメガネ固定具（以下、本発明９と言う）は、上記モダン７、７の中間部に設けた伸縮部１３において、耳に嵌め込む最後尾部１４が、上下伸縮自在にして高さ調整可能と成されていることを特徴としている。
【００４０】
実施の形態の一例として、第１０ａ図は本発明９の伸縮部１３をモダン７の中間部に設けた斜視図であり、第１０ｂ図は伸縮部１３を設けたモダン７を耳に掛けた状態を示している。様々な人の耳の形状に合わせるために上下伸縮自在にすることによって、耳の大きさに合わせて固定することができる。第１０ｃ図は伸縮部１３のモダン７を引き出して長くした状態を示している。第１０ｄ図は大きく長い形状の耳に最後尾部１４の高さを合わせた状態を示している。高さを合わせることによって固定することができる。
【実施例１０】
【００４１】
本発明の請求項１０記載のメガネ固定具（以下、本発明１０と言う）は、耳に嵌め込む左右の最後尾部１４、１４が、最後尾部１４の途中の一個所に設けた回動部１５を介して連結されていることを特徴としている。
【００４２】
実施の形態の一例として、第１１ａ図は本発明１０の回動部１５を最後尾部１４の途中に設けた斜視図であり、最後尾部１４に設けた保持体１７で耳穴に固定した状態を示している。第１１ｂ図はメガネを外す時に、保持体１７を設けた最後尾部１４を外側に曲げた状態を示している。第１１ｃ図は回動部１５を最後尾部１４の途中に設けた斜視図であり、最後尾部１４に設けた保持体１７で耳穴に固定した状態を示している。第１１ｄ図はメガネを外す時に、保持体１７を設けた最後尾部１４を外側に曲げた状態を示している。回動部１５は、任意の位置に固定することができるように硬い状態で回動可能にするか、複数を溝を設けて止めるようにする。
【産業上の利用可能性】
【００４３】
以上のように、パッド無しメガネに本発明の固定具の分枝８、腕木９、櫛状体１０、湾曲板１１、湾曲網１６、回動部１２、伸縮部１３をテンプル６及び／又はモダン７に設けることによって、長時間メガネを掛けた場合、鼻に重さを感じる事が無く、実装感が良い。本発明の固定具は、髪の毛に似た色を付けるか、髪の毛の中に隠すことができるので、パッド無しメガネとしてのファッション性が向上する。よって、本発明の固定具はパッド無しメガネの固定具として適している。
【符号の説明】
【００４４】
１    孔列又は溝列
２    孔又は溝
３    孔列又は溝列
４    孔又は溝
５    平板        
６    テンプル
７    モダン
８    分枝
９    腕木
１０    櫛状体
１１    湾曲板
１２    回動部
１３    伸縮部
１４    最後尾部
１５    回動部
１６    湾曲網
１７    保持体
１８    支持体
１９    拡大鏡
【手続補正２】
【補正対象書類名】特許請求の範囲
【補正対象項目名】全文
【補正方法】変更
【補正の内容】
【特許請求の範囲】
【請求項１】
パッド無しメガネであって、テンプル（６）の後にモダン７を結合させ、このモダン（７）を耳殻の外側の形状に沿わせて延長させ、その終端部は耳朶を避けるように前方に湾曲させて、このモダン（７）の終端部の最後尾に、耳穴に固定するための保持体（１７）が設けられていて、メガネの両テンプル（６、６）の内側の対向する２個所又はテンプル（６）の１個所に対向するモダン（７）の１個所或るいは両モダン（７、７）の対向する２個所に複数の孔列又は溝列（１又は３）を設け、この孔列又は溝列（１又は３）のレンズに近い方の孔列の全ての孔又は溝列の全ての溝（２）は後方斜め側方に向き、レンズに遠い方の孔列の全ての孔又は溝列の全ての溝（４）は前方斜め側方に向いていて、この孔又は溝（２）と孔又は溝（４）は同じ傾斜角度に成されており、この孔又は溝（２）の任意の個所とこの孔又は溝（４）の任意の個所に、弾力性を有する細長い平板（５）を嵌め込んで、内側に僅かに湾曲した湾曲部を形成し、この湾曲部がメガネを掛けた時、頭の側面に当接するように設けられていることを特徴とするメガネ固定具。
【請求項２】
パッド無しメガネであって、テンプル（６）の後にモダン７を結合させ、このモダン（７）を耳殻の外側の形状に沿わせて延長させ、その終端部は耳朶を避けるように前方に湾曲させて、このモダン（７）の終端部の最後尾に、耳穴に固定するための保持体（１７）が設けられていて、メガネのテンプル（６、６）の両内側及び／又はモダン（７、７）の上端の水平部の両内側に、内側斜め前方に湾曲した弾力性を有する細長い分枝（８）を設け、この細長い分枝（８）が頭の側面に当接するように設けられていることを特徴とするメガネ固定具。
【請求項３】
上記分枝（８、８）がテンプル（６、６）及び／又はモダン（７、７）の上端の水平部の両内側に、着脱自在に設けられていることを特徴とする請求項２記載のメガネ固定具。
【請求項４】
パッド無しメガネであって、テンプル（６）の後にモダン７を結合させ、このモダン（７）を耳殻の外側の形状に沿わせて延長させ、その終端部は耳朶を避けるように前方に湾曲させて、このモダン（７）の終端部の最後尾に、耳穴に固定するための保持体（１７）が設けられていて、モダン（７、７）の周縁に頭の形状に沿って、一本又は複数本の腕木（９）が延設されていて、この腕木（９）がメガネを掛けた時、頭の側面に当接するように設けられていることを特徴とするメガネ固定具。
【請求項５】
パッド無しメガネであって、テンプル（６）の後にモダン７を結合させ、このモダン（７）を耳殻の外側の形状に沿わせて延長させ、その終端部は耳朶を避けるように前方に湾曲させて、このモダン（７）の終端部の最後尾に、耳穴に固定するための保持体（１７）が設けられていて、モダン（７、７）の周縁にクリップ状体（１８）が設けられていて、メガネを掛けた時、このクリップ状体（１８）で髪の毛を挟むことによって、頭の側面に固定するように成されていることを特徴とするメガネ固定具。
【請求項６】
パッド無しメガネであって、テンプル（６）の後にモダン７を結合させ、このモダン（７）を耳殻の外側の形状に沿わせて延長させ、その終端部は耳朶を避けるように前方に湾曲させて、このモダン（７）の終端部の最後尾に、耳穴に固定するための保持体（１７）が設けられていて、モダン（７、７）の周縁に頭の形状に沿う形の櫛状体（１０）が設けられていて、この櫛状体（１０）の各々の櫛歯がメガネを掛けた時、頭の側面に当接するように成されていることを特徴とするメガネ固定具。
【請求項７】
パッド無しメガネであって、テンプル（６）の後にモダン７を結合させ、このモダン（７）を耳殻の外側の形状に沿わせて延長させ、その終端部は耳朶を避けるように前方に湾曲させて、このモダン（７）の終端部の最後尾に、耳穴に固定するための保持体（１７）が設けられていて、モダン（７、７）の周縁に頭の形状に沿う形の湾曲板（１１）又は湾曲網（１６）が設けられていて、この湾曲板（１１）又は湾曲網（１６）がメガネを掛けた時、頭の側面に当接するように成されていることを特徴とするメガネ固定具。
【請求項８】
上記モダン（７、７）の周縁に１個所又は複数個所の回動部（１２）を設け、この回動部（１２）に上記一本又は複数本の腕木（９）又は上記クリップ状体（１８）又は上記櫛状体（１０）又は湾曲板（１１）又は湾曲網（１６）が、回動自在に設けられていることを特徴とする請求項４〜７の何れかに記載のメガネ固定具。
【請求項９】
上記モダン（７、７）の中間部に設けた伸縮部（１３）において、耳に嵌め込む最後尾部（１４）が、上下伸縮自在にして高さ調整可能と成されていることを特徴とする請求項１〜８の何れかに記載のメガネ固定具。
【請求項１０】
耳に嵌め込む左右の最後尾部（１４、１４）が、最後尾部（１４）の途中の一個所に設けた回動部（１５）を介して連結されていることを特徴とする請求項１〜９の何れかに記載のメガネ固定具。